(57)【要約】【課題】照明光等の外光の影響をより適切に判定することが可能なプロジェクター、プログラムおよび情報記憶媒体を提供すること。【解決手段】プロジェクター１００が、照度を測定する複数のセンサー１１１、１１２と、センサー１１１、１１２の測定値に基づき、画像が投写される対象領域における外光の影響を判定する判定部１３０と、前記外光の影響に応じて画像の色および明るさの少なくとも一方を補正する補正部１４０を含み、センサー１１２がプロジェクター１００の筐体における画像光の投写面と対向する背面に設けられ、センサー１１１が前記筐体における前記投写面および前記背面以外の面に設けられる。【選択図】図２
2011017888.tif 000002
【特許請求の範囲】
【請求項１】
照度を測定する複数のセンサーと、
前記複数のセンサーの測定値に基づき、画像が投写される対象領域における外光の影響を判定する判定部と、
前記外光の影響に応じて画像の色および明るさの少なくとも一方を補正する補正部と、
を含むプロジェクターであって、
前記複数のセンサーは、前記プロジェクターの筐体における画像光の投写面以外の面に設けられている、
プロジェクター。
【請求項２】
照度を測定する複数のセンサーと、
前記複数のセンサーの測定値に基づき、画像が投写される対象領域における外光の影響を判定する判定部と、
前記外光の影響に応じて画像の色および明るさの少なくとも一方を補正する補正部と、
を含むプロジェクターであって、
前記複数のセンサーは、前記プロジェクターの筐体における画像光の投写面と対向する背面に設けられる少なくとも１つのセンサーと、前記筐体における前記投写面および前記背面以外の面に設けられる他の少なくとも１つのセンサーとを含む、
プロジェクター。
【請求項３】
請求項１、２のいずれかに記載のプロジェクターにおいて、
前記判定部は、前記プロジェクターの設置状態を判定する設置状態判定部を含み、前記設置状態に応じて前記外光の影響を判定する、
プロジェクター。
【請求項４】
請求項１〜３のいずれかに記載のプロジェクターにおいて、
前記判定部は、前記対象領域の種別および状態の少なくとも一方を判定する対象領域判定部を含み、前記対象領域判定部の判定結果に応じて前記外光の影響を判定する、
プロジェクター。
【請求項５】
照度を測定する複数のセンサーを含むプロジェクターの有するコンピューターを、
前記複数のセンサーの測定値に基づき、画像が投写される対象領域における外光の影響を判定する判定部と、
前記外光の影響に応じて画像の色および明るさの少なくとも一方を補正する補正部として機能させるプログラムであって、
前記複数のセンサーは、前記プロジェクターの筐体における画像光の投写面以外の面に設けられている、
プログラム。
【請求項６】
照度を測定する複数のセンサーを含むプロジェクターの有するコンピューターを、
前記複数のセンサーの測定値に基づき、画像が投写される対象領域における外光の影響を判定する判定部と、
前記外光の影響に応じて画像の色および明るさの少なくとも一方を補正する補正部として機能させるプログラムであって、
前記複数のセンサーは、前記プロジェクターの筐体における画像光の投写面と対向する背面に設けられる少なくとも１つのセンサーと、前記筐体における前記投写面および前記背面以外の面に設けられる他の少なくとも１つのセンサーとを含む、
プログラム。
【請求項７】
照度を測定する複数のセンサーを含むプロジェクターの有するコンピューターにより読み取り可能なプログラムを記憶した情報記憶媒体であって、
請求項５、６のいずれかに記載のプログラムを記憶した情報記憶媒体。
【発明の詳細な説明】
【技術分野】
【０００１】
本発明は、プロジェクター、プログラムおよび情報記憶媒体に関する。
【背景技術】
【０００２】
例えば、特許第３７０１６０９号公報では、スクリーンの所定領域における基準映像の輝度および色度を感知して映像の輝度および色度を設定することが記載されている。より具体的には、スクリーンの表示光を集束して入射させるための集光レンズと、当該表示光を電気信号に変換する光センサーが感知部として構成されている。
【先行技術文献】
【特許文献】
【０００３】
【特許文献１】特許第３７０１６０９号公報
【発明の概要】
【発明が解決しようとする課題】
【０００４】
しかし、当該公報の手法は、スクリーンの表示画像の光を感知する手法である。このため、当該公報の手法を用いてスクリーンの画像表示対象領域における照明光等の外光の影響を判定するためには、プロジェクターは、投写を停止した状態で光を感知する必要があり、時間がかかってしまう。また、当該公報のように、画像光の射出面に光センサーが設けられる場合、プロジェクターの背面方向からスクリーンに入射する外光の影響を判定することは困難である。特に、光センサーの個数が１つである場合、光センサーの個数が複数である場合と比べて外光の影響を判定できる条件が限定されてしまう。
【０００５】
本発明にかかるいくつかの態様は、上記課題を解決することにより、照明光等の外光の影響をより適切に判定することが可能なプロジェクター、プログラムおよび情報記憶媒体を提供するものである。
【課題を解決するための手段】
【０００６】
本発明の態様の１つであるプロジェクターは、照度を測定する複数のセンサーと、前記複数のセンサーの測定値に基づき、画像が投写される対象領域における外光の影響を判定する判定部と、前記外光の影響に応じて画像の色および明るさの少なくとも一方を補正する補正部と、を含むプロジェクターであって、前記複数のセンサーは、前記プロジェクターの筐体における画像光の射出面以外の面に設けられていることを特徴とする。
【０００７】
また、本発明の態様の１つであるプログラムは、照度を測定する複数のセンサーを含むプロジェクターの有するコンピューターを、前記複数のセンサーの測定値に基づき、画像が投写される対象領域における外光の影響を判定する判定部と、前記外光の影響に応じて画像の色および明るさの少なくとも一方を補正する補正部として機能させるプログラムであって、前記複数のセンサーは、前記プロジェクターの筐体における画像光の射出面以外の面に設けられていることを特徴とする。
【０００８】
また、本発明の態様の１つである情報記憶媒体は、照度を測定する複数のセンサーを含むプロジェクターの有するコンピューターにより読み取り可能なプログラムを記憶した情報記憶媒体であって、上記プログラムを記憶したことを特徴とする。
【０００９】
本発明によれば、プロジェクターは、プロジェクターの射出面以外の面に設けられる複数のセンサーの配置に応じて外光の影響を判定することにより、プロジェクターの前面からの光の影響を受けにくいため、照明光等の影響をより適切に判定することができる。また、本発明によれば、プロジェクターは、照明光等の影響をより適切に判定することができるため、当該影響に応じてより適切に画像の色等を補正することができ、より適切な画像を投写することができる。
【００１０】
また、本発明の態様の１つであるプロジェクターは、照度を測定する複数のセンサーと、前記複数のセンサーの測定値に基づき、画像が投写される対象領域における外光の影響を判定する判定部と、前記外光の影響に応じて画像の色および明るさの少なくとも一方を補正する補正部と、を含むプロジェクターであって、前記複数のセンサーは、前記プロジェクターの筐体における画像光の射出面と対向する背面に設けられる少なくとも１つのセンサーと、前記筐体における前記射出面および前記背面以外の面に設けられる他の少なくとも１つのセンサーとを含むことを特徴とする。
【００１１】
また、本発明の態様の１つであるプログラムは、照度を測定する複数のセンサーを含むプロジェクターの有するコンピューターを、前記複数のセンサーの測定値に基づき、画像が投写される対象領域における外光の影響を判定する判定部と、前記外光の影響に応じて画像の色および明るさの少なくとも一方を補正する補正部として機能させるプログラムであって、前記複数のセンサーは、前記プロジェクターの筐体における画像光の射出面と対向する背面に設けられる少なくとも１つのセンサーと、前記筐体における前記射出面および前記背面以外の面に設けられる他の少なくとも１つのセンサーとを含むことを特徴とする。
【００１２】
また、本発明の態様の１つである情報記憶媒体は、照度を測定する複数のセンサーを含むプロジェクターの有するコンピューターにより読み取り可能なプログラムを記憶した情報記憶媒体であって、上記プログラムを記憶したことを特徴とする。
【００１３】
本発明によれば、プロジェクターは、プロジェクターの背面に設けられる少なくとも１つのセンサーと、射出面および背面以外の面に設けられる他の少なくとも１つのセンサーの配置に応じて外光の影響を判定することにより、プロジェクターの前面からの光の影響を受けにくいため、照明光等の影響をより適切に判定することができる。また、本発明によれば、プロジェクターは、照明光等の影響をより適切に判定することができるため、当該影響に応じてより適切に画像の色等を補正することができ、より適切な画像を投写することができる。
【００１４】
また、前記判定部は、前記プロジェクターの設置状態を判定する設置状態判定部を含み、前記設置状態に応じて前記外光の影響を判定してもよい。
【００１５】
これによれば、プロジェクターは、プロジェクターの設置状態を判定することにより、プロジェクターの傾きによるセンサーへの外光の入射角の相違を把握することができるため、照明光等の影響をより適切に判定することができる。
【００１６】
また、前記判定部は、対象領域の種別および状態の少なくとも一方を判定する対象領域判定部を含み、前記対象領域判定部の判定結果に応じて外光の影響を判定してもよい。
【００１７】
これによれば、プロジェクターは、対象領域の種別等を判定することにより、センサーがスクリーンの反射光等の影響を受ける場合であっても、スクリーンの反射率や設置角度等に応じて当該影響も考慮して外光の影響を判定することができるため、照明光等の影響をより適切に判定することができる。
【図面の簡単な説明】
【００１８】
【図１】第１の実施例におけるプロジェクターの投写状況を示す図である。
【図２】第１の実施例におけるプロジェクターの機能ブロック図である。
【図３】第１の実施例における判定用データの一例を示す図である。
【図４】第１の実施例における投写手順を示すフローチャートである。
【図５】第２の実施例におけるプロジェクターの投写状況を示す図である。
【図６】第２の実施例における判定用データの一例を示す図である。
【図７】その他の実施例におけるプロジェクターの投写状況の一例を示す図である。
【図８】その他の実施例におけるプロジェクターの投写状況の他の一例を示す図である。
【図９】複数のセンサーの有効な配置を示す図である。
【発明を実施するための形態】
【００１９】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２０】
（第１の実施例）
図１は、第１の実施例におけるプロジェクター１００の投写状況を示す図である。本実施例のプロジェクター１００では、プロジェクター１００の筐体における上面にセンサー１１１が設けられ、当該筐体における画像光の射出面（前面）と対向する背面にセンサー１１２が設けられている。センサー１１１、１１２は、照度を測定する機能を有している。プロジェクター１００は、センサー１１１、１１２によって測定された照度に応じて外光の影響を判定し、当該外光の状態に応じて画像の色および明るさを調整するためのカラーモードを決定する機能を有している。
【００２１】
次に、このような機能を有するプロジェクター１００の機能ブロックについて説明する。図２は、第１の実施例におけるプロジェクター１００の機能ブロック図である。プロジェクター１００は、センサー１１１、１１２と、センサー１１１、１１２の測定値に基づき、画像が投写される対象領域の一種であるスクリーン１０における外光の影響を判定する判定部１３０と、外光の状態に応じて適用するカラーモードを決定する補正部１４０を含んで構成されている。
【００２２】
また、プロジェクター１００は、ＰＣ(Personal Computer)等から画像信号を入力し、画像データ１２６として記憶部１２０に記憶する画像入力部１６０と、判定用データ１２２、補正用データ１２４、画像データ１２６等を記憶する記憶部１２０と、画像データ１２６等に基づき、画像を生成する画像生成部１５０と、画像を投写する投写部１９０を含んで構成されている。
【００２３】
ここで、判定用データ１２２について説明する。図３は、第１の実施例における判定用データ１２２の一例を示す図である。判定用データ１２２は、例えば、図３に示すように、センサー１１１、１１２の測定値と適用するカラーモードとが対応付けられたデータである。
【００２４】
例えば、センサー１１１の測定値が１００未満でセンサー１１２の測定値が１００未満の場合のカラーモードは「シアター」であり、センサー１１１の測定値が１００未満でセンサー１１２の測定値が１００以上３００未満の場合のカラーモードは「リビング」であり、センサー１１１の測定値が１００未満でセンサー１１２の測定値が３００以上の場合のカラーモードは「プレゼンテーション」である。
【００２５】
また、例えば、センサー１１１の測定値が１００以上でセンサー１１２の測定値が１００未満の場合のカラーモードは「リビング」であり、センサー１１１の測定値が１００以上でセンサー１１２の測定値が１００以上５００未満の場合のカラーモードは「プレゼンテーション」であり、センサー１１１の測定値が１００以上でセンサー１１２の測定値が５００以上の場合のカラーモードは「ダイナミック」である。
【００２６】
なお、「ダイナミック」、「プレゼンテーション」、「リビング」、「シアター」の順にコントラストが高く、画像２０も明るい調整が行われるものとする。また、プロジェクター１００が平面に傾きがない状態または傾きが小さい状態で設置されている場合、センサー１１２のほうがセンサー１１１よりもスクリーン１０への外光の影響を捉えられるため、図３に示す設定が行われている。
【００２７】
また、補正用データ１２４は、例えば、カラーモードごとの画像の補正内容（例えば、輝度補正値、色補正値、遮光板の開度等）を示すデータである。
【００２８】
なお、プロジェクター１００は、以下のハードウェアを用いてこれらの各部として機能してもよい。例えば、プロジェクター１００は、センサー１１１、１１２は照度センサー等、記憶部１２０はＲＡＭ、ＲＯＭ等、判定部１３０、補正部１４０はＣＰＵ等、画像生成部１５０は画像処理回路等、画像入力部１６０は画像入力端子、コンバーター等、投写部１９０はランプ、液晶パネル、液晶駆動回路、レンズ等を用いてもよい。
【００２９】
また、プロジェクター１００の有するコンピューターは、情報記憶媒体２００に記憶されたプログラムを読み取って判定部１３０等として機能してもよい。このような情報記憶媒体２００としては、例えば、ＣＤ−ＲＯＭ、ＤＶＤ−ＲＯＭ、ＲＯＭ、ＲＡＭ、ＨＤＤ等を適用できる。
【００３０】
次に、これらの各部を用いた画像２０の投写手順について説明する。図４は、第１の実施例における投写手順を示すフローチャートである。
【００３１】
センサー１１１、１１２は所定のタイミング（例えば、プロジェクター１００の起動時、１分ごと、１時間ごと等）で照度を測定する（ステップＳ１）。
【００３２】
判定部１３０は、センサー１１１、センサー１１２で測定された照度と、判定用データ１２２に基づき、適用するカラーモードを決定する（ステップＳ２）。また、判定部１３０は、ステップＳ２で決定した新たなカラーモードが現在適用中のカラーモードと異なるかどうかを判定する（ステップＳ３）。
【００３３】
新たなカラーモードが現在適用中のカラーモードと異なる場合、補正部１４０は、新たなカラーモードに応じて補正用データ１２４から適用する補正値を決定する（ステップＳ４）。
【００３４】
画像生成部１５０は、画像データ１２６と、補正部１４０によって決定された補正値に基づき、輝度等を調整して画像２０を生成し、投写部１９０は、画像２０を投写する（ステップＳ５）。
【００３５】
以上のように、本実施例によれば、プロジェクター１００は、プロジェクター１００の上面に設けられたセンサー１１１と、プロジェクター１００の背面に設けられたセンサー１１２の配置に応じて外光の影響を判定することにより、プロジェクター１００の前面からの光の影響を受けにくいため、照明光等の影響をより適切に判定することができる。
【００３６】
また、本実施例によれば、プロジェクター１００は、照明光等の影響をより適切に判定することができるため、当該影響に応じてより適切に画像の色等を補正することができ、より適切な画像を投写することができる。
【００３７】
また、本実施例によれば、プロジェクター１００は、センサー１１１、１１２の測定値に応じてカラーモードを決定し、カラーモードに応じた補正値で明るさ等を補正した画像２０を生成して投写することができるため、照明光等に応じた適切な画像２０を表示することができる。これにより、ユーザーは、画像２０の補正に関する特別な知識がなくても、プロジェクター１００を用いて照明光等に応じた適切な画像２０を表示することができる。
【００３８】
（第２の実施例）
なお、センサー１１１、１１２の配置は図１に示す例に限定されない。例えば、プロジェクターの筐体における射出面以外の１つの面に複数のセンサーが設けられてもよい。
【００３９】
図５は、第２の実施例におけるプロジェクター１０１の投写状況を示す図である。プロジェクター１０１では、プロジェクター１０１の筐体における上面の前方にセンサー１１３が設けられ、上面の後方にセンサー１１４が設けられている。
【００４０】
図６は、第２の実施例における判定用データ１２３の一例を示す図である。プロジェクター１０１の筐体における上面の前方のほうが上面の後方よりもスクリーン１０への外光の影響を受けやすいと考えられる。したがって、判定用データ１２３では、主に上面前方のセンサー１１３の測定値に応じて適用するカラーモードが決定される設定が行われている。
【００４１】
以上のように、プロジェクター１０１は、筐体における射出面以外の１つの面に複数のセンサーが設けられる場合であっても、第１の実施例と同様の作用効果を奏する。
【００４２】
（その他の実施例）
なお、本発明の適用は上述した実施例に限定されず、種々の変形が可能である。例えば、１台のプロジェクター１００、１０１に３つ以上のセンサーが設けられてもよい。また、筐体の下面や側面にセンサーが設けられてもよい。例えば、プロジェクター１００、１０１は、下面にセンサーを設けることにより、間接照明等による下方向からの照明光の影響を把握することができる。
【００４３】
図９は、複数のセンサーの有効な配置を示す図である。なお、図９において、二重丸が非常に有効であることを示し、一重丸が有効であることを示し、三角が状況によっては有効であることを示す。
【００４４】
一般的には、図９に示すように、プロジェクター１００、１０１の上面と背面にセンサーを設けることが、前方からの光の影響を受けにくく、照明光の影響を適切に判定することができる。しかし、プロジェクター１００、１０１の左右方向や下方向に照明が配置される場合等には、プロジェクター１００、１０１の側面や下面にセンサーを配置することによって照明光の影響を適切に判定することができる。
【００４５】
また、センサー１１１〜１１４は、照度センサーに限定されず、例えば、輝度センサー、ＲＧＢセンサー等であってもよい。すなわち、センサー１１１〜１１４の測定値は、照度に限定されず、例えば、輝度値、ＲＧＢ値、Ｙ値、これらの値に変換可能な電圧値等であってもよい。
【００４６】
また、センサー１１１〜１１４は、波長や輝度範囲等を制限するフィルターを有するセンサーであってもよいし、演算等によって特定の波長のみを測定値として出力してもよい。例えば、プロジェクター１００、１０１におけるリモートコントローラーからの赤外光の受光部における赤外フィルターを透過した光を受光する第１のセンサーと、当該赤外フィルターを透過しない光を受光する第２のセンサーがある場合、判定部１３０は、第２のセンサーの測定値から第１のセンサーの測定値を減算することにより、可視域における照明光の影響を把握でき、第１のセンサーの測定値によって赤外域における照明光の影響を把握することができる。
【００４７】
また、プロジェクター１００、１０１は、１つのカラーモードに決定できない場合、ユーザーに適用するカラーモードを選択させてもよい。
【００４８】
また、判定部１３０は、プロジェクター１００、１０１の設置状態を判定する設置状態判定部を含み、当該設置状態に応じて外光の影響を判定してもよい。例えば、設置状態判定部は、内部または外部の重力センサーやジャイロセンサー等の測定値に応じてプロジェクター１００、１０１の傾きを判定し、判定部１３０は、当該傾きに応じてセンサー１１１等の測定値を補正したり、カラーモードの決定方法を変更したりしてもよい。
【００４９】
図７は、その他の実施例におけるプロジェクター１００の投写状況の一例を示す図である。また、図８は、その他の実施例におけるプロジェクター１００の投写状況の他の一例を示す図である。
【００５０】
例えば、中央の天井から真下への照明を行う照明３０と、後方の天井から前方への照明を行う照明３２が天井に設置されているものとする。図７に示すように、プロジェクター１００が水平に配置されている場合、センサー１１１は照明３０からの影響が大きく、センサー１１２は照明３２からの影響が大きい。
【００５１】
これに対し、図８に示すように、プロジェクター１００が斜めに配置されている場合、センサー１１１は照明３２からの影響が大きく、センサー１１２は照明３２からの影響をあまり受けなくなる。これは、センサー１１１、１１２は、一般的に、指向性や遮光構造を有しているため、照明光のセンサー１１１、１１２への入射角が変化することによって、受光強度も変化するからである。
【００５２】
判定部１３０は、例えば、プロジェクター１００の傾きが３０度（一例である。）以上の場合、センサー１１２に代えてセンサー１１１の測定値を基準にして適用するカラーモードを決定してもよい。また、このような場合、判定用データ１２２の条件にプロジェクター１００の傾きを追加してもよいし、プロジェクター１００の傾きに応じてセンサー１１１、１１２の測定値を補正する測定値補正部をプロジェクター１００に設けてもよい。
【００５３】
これによれば、プロジェクター１００、１０１は、プロジェクター１００、１０１の設置状態を判定することにより、プロジェクターの傾きによるセンサーへの外光の入射角の相違を把握することができるため、照明光等の影響をより適切に判定することができる。
【００５４】
また、判定部１３０は、対象領域の一種であるスクリーン１０の種別および状態の少なくとも一方を判定する対象領域判定部を含み、対象領域判定部の判定結果に応じて外光の影響を判定してもよい。
【００５５】
例えば、プロジェクター１００、１０１は、スクリーン１０の種別（例えば、製品名、反射率、色等）や状態（例えば、設置角度、大きさ等）を選択させる画像を投写し、対象領域判定部は、ユーザーの選択に応じてスクリーン１０の種別等を判定してもよい。
【００５６】
例えば、判定部１３０は、スクリーン１０の反射率が高い場合や投写光の光軸とスクリーン１０の法線の差が少ない状態でスクリーン１０が設置されている場合、スクリーン１０からの反射光の影響が大きくなる（センサー１１１等の測定値におけるプロジェクター１００、１０１からの画像光の反射光の割合が高くなる）ため、カラーモードを適用する閾値を低下させてもよい。また、例えば、判定部１３０は、スクリーン１０の色が黒の場合、カラーモードを「黒板」モードに決定したりしてもよい。
【００５７】
これによれば、プロジェクター１００、１０１は、センサー１１１等がスクリーン１０の反射光等の影響を受ける場合であっても、スクリーン１０の反射率、設置角度、色等に応じて当該影響も考慮して外光の影響を判定することができるため、照明光等の影響をより適切に判定することができる。
【００５８】
また、判定部１３０の判定はカラーモードの決定に限定されず、補正部１４０の補正はカラーモードに応じた補正値の決定に限定されない。例えば、補正部１４０は、判定部１３０によってプロジェクター１００の上面の照明が暗いが、プロジェクター１００の後方に明るい照明があると判定された場合、コントラストを上げ、画像２０の色を濃くする補正を行ってもよい。また、補正部１４０は、画像２０の明るさと色の両方を補正してもよいし、画像２０の明るさと色のどちらか一方を補正してもよい。
【００５９】
また、判定部１３０は、プロジェクター１００が設置されている部屋の大きさ、天井の反射率や色、壁の反射履や色、画像２０の明るさや色等に応じてスクリーン１０への外光の影響を判定してもよい。また、画像が投写される対象領域は、スクリーン１０に限定されず、例えば、壁、ホワイトボード、黒板等であってもよい。
【００６０】
また、プロジェクター１００は、液晶プロジェクター（透過型、ＬＣＯＳ等の反射型）に限定されず、例えば、ＤＭＤ(Digital Micromirror Device)を用いたプロジェクター等であってもよい。なお、ＤＭＤは米国テキサス・インスツルメンツ社の商標である。また、プロジェクター１００の機能を複数の装置（例えば、ＰＣとプロジェクター等）に分散してもよい。
【符号の説明】
【００６１】
１０  スクリーン、２０  画像、３０、３２  照明、１００、１０１  プロジェクター、１１１〜１１４  センサー、１２０  画像入力部、１２２、１２３  判定用データ、１２４  補正用データ、１２６  画像データ、１３０  判定部、１４０  補正部、１５０  画像生成部、１９０  投写部、２００  情報記憶媒体
【図１】
2011017888.tif 000003
【図２】
2011017888.tif 000004
【図３】
2011017888.tif 000005
【図４】
2011017888.tif 000006
【図５】
2011017888.tif 000007
【図６】
2011017888.tif 000008
【図７】
2011017888.tif 000009
【図８】
2011017888.tif 000010
【図９】
2011017888.tif 000011